(57)【要約】【課題】本発明の目的は、ごみピットにごみを投入したごみ収集車のテールゲート内部を洗浄するために好適な洗浄装置及びこの洗浄装置を備えたごみ焼却施設を提供することである。【解決手段】本発明による洗浄装置は、洗浄水を噴出するノズル（５１）と、前記ノズルがごみピット（２０）を臨むプラットホーム（１０）に設けられた車止め（１１）よりごみピット側に配置されるように前記ノズルを支持する支持体（５２）とを具備している。このようなノズルの配置は、ごみ収集車（９０）のテールゲート（９１）内部を洗浄するために好適である。本発明によれば、作業者は、足場の悪いごみ投入口（２０ａ）周辺でテールゲート（９１）の清掃作業をしないで済む。本発明による洗浄装置は、ごみ焼却施設又はごみ焼却施設以外のごみ処理施設に適用可能である。【選択図】図２Ａ
2007302361.tif 000002
【特許請求の範囲】
【請求項１】
洗浄水を噴出するノズルと、
前記ノズルがごみピットを臨むプラットホームに設けられた車止めより前記ごみピット側に配置されるように前記ノズルを支持する支持体と
を具備する
洗浄装置。
【請求項２】
前記支持体は、前記ごみピットのごみ投入口を開閉する観音開き式の扉の外側面に設けられ、
前記扉は前記ごみピット側へ開く
請求項１の洗浄装置。
【請求項３】
前記ノズルに洗浄水を供給する洗浄水供給管と、
前記洗浄水供給管に設けられた弁と、
発光器と、
受光器と、
前記発光器から前記受光器に入射する光線が遮断されたことに基づいて前記弁を制御する制御部と
を具備し、
前記外側面は、前記扉が開いたときに互いに対向する第１外側面及び第２外側面を含み、
前記発光器は前記第１外側面に設けられ、
前記受光器は前記第２外側面に設けられている
請求項２の洗浄装置。
【請求項４】
前記支持体は、前記ごみピットのごみ投入口を挟んで互いに対向する壁面に設けられている
請求項１の洗浄装置。
【請求項５】
前記ノズルに洗浄水を供給する洗浄水供給管と、
前記洗浄水供給管に設けられた弁と、
発光器と、
受光器と、
前記発光器から前記受光器に入射する光線が遮断されたことに基づいて前記弁を制御する制御部と
を具備し、
前記壁面は、互いに対向する第１壁面及び第２壁面を含み、
前記発光器は前記第１壁面に設けられ、
前記受光器は前記第２壁面に設けられている
請求項４の洗浄装置。
【請求項６】
前記支持体は、前記ごみピットの斜面に設けられた穴に出入りし、
前記ごみピットのごみ投入口から投入されたごみは前記斜面上を前記ごみピットの底に向かって落下する
請求項１の洗浄装置。
【請求項７】
前記ノズルによる洗浄水の噴出を手動で開始させるための操作部を具備し、
前記操作部は前記プラットホーム上に設けられている。
請求項１乃至６のいずれか１項に記載の洗浄装置。
【請求項８】
前記ノズルが噴出する洗浄水に混入される空気を供給するエアー供給部を具備する
請求項１乃至７のいずれか１項に記載の洗浄装置。
【請求項９】
ごみピットと、
前記ごみピットを臨むプラットホームと、
前記ごみピットに投入されたごみを焼却する焼却炉と、
洗浄水を噴出するノズルと、
前記ノズルが前記プラットホームに設けられた車止めより前記ごみピット側に配置されるように前記ノズルを支持する支持体と
を具備する
ごみ焼却施設。
【請求項１０】
前記支持体は、前記ごみピットのごみ投入口を開閉する観音開き式の扉の外側面に設けられ、
前記扉は前記ごみピット側へ開く
請求項９のごみ焼却施設。
【請求項１１】
前記支持体は、前記ごみピットのごみ投入口を挟んで互いに対向する壁面に設けられている
請求項９のごみ焼却施設。
【発明の詳細な説明】
【技術分野】
【０００１】
本発明は、ごみ収集車の洗浄装置及びごみ収集車の洗浄装置を備えたごみ焼却施設に関する。
【背景技術】
【０００２】
従来、ごみ焼却施設においては、ごみ収集車が持ち込むごみを一旦ごみピットに投入し、ごみピットのごみをバケットクレーンにより焼却炉のホッパーに投入している。そして、ごみ焼却施設には、ごみ収集車が侵入する領域としてプラットホームをごみピットに隣接して設けており、ごみ収集車は背部のごみ収容部をごみピットに臨ませてプラットホームに停車し、ごみ収容部を傾動させて収集したごみをごみピットに投入している。
【０００３】
ごみ焼却施設のようなごみ処理施設においては、衛生管理が重要である。
【０００４】
特許文献１は、ごみ焼却施設における衛生安全設備を開示している。この衛生安全設備においては、人体洗浄設備および衣類洗浄装置がプラットホームに設けられている。このため、収集したごみをごみピットに投入する作業と作業者の身体および衣類を洗浄する作業とを並行して行うことが可能となり、作業者にとっての衛生安全環境が向上する。
【０００５】
ごみ収集車についても、収集したごみをごみピットに投入後に洗浄する必要がある。特にテールゲート開閉パッキン部は、ごみ汁が漏れ出すことを防ぐ為ごみ排出ごとに清掃する必要がある。
【０００６】
テールゲート内部を洗浄するために好適な洗浄装置が必要とされている。
【特許文献１】特開平６−１５６６１３号公報
【発明の開示】
【発明が解決しようとする課題】
【０００７】
本発明の目的は、ごみピットにごみを投入したごみ収集車のテールゲート内部を洗浄するために好適な洗浄装置及びこの洗浄装置を備えたごみ焼却施設を提供することである。
【課題を解決するための手段】
【０００８】
以下に、（発明を実施するための最良の形態）で使用される番号を用いて、課題を解決するための手段を説明する。これらの番号は、（特許請求の範囲）の記載と（発明を実施するための最良の形態）との対応関係を明らかにするために付加されたものである。ただし、それらの番号を、（特許請求の範囲）に記載されている発明の技術的範囲の解釈に用いてはならない。
【０００９】
本発明による洗浄装置は、ジェット洗浄水を噴出するノズル（５１）と、前記ノズルがごみピット（２０）を臨むプラットホーム（１０）に設けられた車止め（１１）より前記ごみピット側に配置されるように前記ノズルを支持する支持体（５２）とを具備している。このようなノズルの配置は、ごみ収集車（９０）のテールゲート（９１）内部を洗浄するために好適である。本発明によれば、作業者は、足場の悪いごみ投入口（２０ａ）周辺でテールゲート（９１）の清掃作業をしないで済む。本発明による洗浄装置は、ごみ焼却施設又はごみ焼却施設以外のごみ処理施設に適用可能である。
【００１０】
本発明による洗浄装置においては、前記支持体は、前記ごみピットのごみ投入口（２０ａ）を開閉する観音開き式の扉（２１、２２）の外側面（２１ａ、２２ａ）に設けられている。そして、前記扉は前記ごみピット側へ開く。
【００１１】
本発明による洗浄装置は、前記ノズルに洗浄水を供給する洗浄水供給管（５４）と、前記洗浄水供給管に設けられた弁（５７）と、発光器（６１）と、受光器（６２）と、前記発光器から前記受光器に入射する光線（８０）が遮断されたことに基づいて前記弁を制御する制御部（７１）とを具備している。前記外側面は、前記扉が開いたときに互いに対向する第１外側面（２１ａ）及び第２外側面（２１ｂ）を含んでいる。前記発光器は前記第１外側面に設けられている。前記受光器は前記第２外側面に設けられている。
【００１２】
本発明による洗浄装置においては、前記支持体は、前記ごみピットのごみ投入口（２０ａ）を挟んで互いに対向する壁面（２５ａ、２６ａ）に設けられている。
【００１３】
本発明による洗浄装置は、前記ノズルに洗浄水を供給する洗浄水供給管（５４）と、前記洗浄水供給管に設けられた弁（５７）と、発光器（６１）と、受光器（６２）と、前記発光器から前記受光器に入射する光線（８０）が遮断されたことに基づいて前記弁を制御する制御部（７１）とを具備している。前記壁面は、互いに対向する第１壁面（２５ａ）及び第２壁面（２６ａ）を含んでいる。前記発光器は前記第１壁面に設けられている。前記受光器は前記第２壁面に設けられている。
【００１４】
本発明による洗浄装置においては、前記支持体は、前記ごみピットの斜面（２０ｂ）に設けられた穴（２０ｃ）に出入りする。前記ごみピットのごみ投入口（２０ａ）から投入されたごみは前記斜面上を前記ごみピットの底に向かって落下する。
【００１５】
本発明による洗浄装置は、前記ノズルによる洗浄水の噴出を手動で開始させるための操作部（７２）を具備している。前記操作部は前記プラットホーム上に設けられている。
【００１６】
本発明による洗浄装置は、前記ノズルが噴出する洗浄水に混入される空気を供給するエアー供給部（５５）を具備している。
【００１７】
本発明によるごみ焼却施設は、ごみピット（２０）と、前記ごみピットを臨むプラットホーム（１０）と、前記ごみピットに投入されたごみを焼却する焼却炉（４０）と、洗浄水を噴出するノズル（５１）と、前記ノズルが前記プラットホームに設けられた車止め（１１）より前記ごみピット側に配置されるように前記ノズルを支持する支持体（５２）とを具備している。
【００１８】
本発明によるごみ焼却施設においては、前記支持体は、前記ごみピットのごみ投入口（２０ａ）を開閉する観音開き式の扉（２１、２２）の外側面（２１ａ、２２ａ）に設けられている。前記扉は前記ごみピット側へ開く。
【００１９】
本発明によるごみ焼却施設においては、前記支持体は、前記ごみピットのごみ投入口（２０ａ）を挟んで互いに対向する壁面（２５ａ、２６ａ）に設けられている。
【発明の効果】
【００２０】
本発明によれば、ごみピットにごみを投入したごみ収集車のテールゲート内部を洗浄するために好適な洗浄装置及びこの洗浄装置を備えたごみ焼却施設が提供される。
【発明を実施するための最良の形態】
【００２１】
添付図面を参照して、本発明による洗浄装置及びごみ焼却施設を実施するための最良の形態を以下に説明する。
【００２２】
図１は、本発明の第１乃至第３の実施形態に係るごみ焼却施設１００を示している。ごみ焼却施設１００は、プラットホーム１０と、ごみピット２０と、クレーン３０と、焼却炉４０とを備えている。焼却炉４０は、ホッパ４１と、フィーダ４２と、燃焼室４３と、ストーカ４４とを備えている。
【００２３】
互いに直交するＸ方向、Ｙ方向、Ｚ方向をプラットホーム１０に固定して定義する。プラットホーム１０の上面が向く方向がＺ方向である。Ｘ方向及びＹ方向は、プラットホーム１０の上面に平行である。Ｙ方向は、プラットホーム１０からごみピット２０を見る方向を向いている。プラットホーム１０の上面は、水平又は概ね水平である。
【００２４】
ごみ収集車９０は、パッカ−車と呼ばれる機械式ごみ収集車である。ごみ収集車９０は、ごみピット２０に隣接するプラットホーム１０上をＹ方向に後進して車止め１１の手前で停止する。ごみ収集車９０は、テールゲート９１を上昇させて荷箱９２内のごみをごみ投入口２０ａからごみピット２０に投入する。クレーン３０は、ごみピット２０に投入されたごみ９９をホッパ４１に投入する。フィーダ４２は、ホッパ４１から落下してきたごみを燃焼室４３の底に設けられたストーカ４４上に供給する。ごみはストーカ４４上で焼却される。
【００２５】
（第１の実施形態）
本発明の第１の実施形態について図２Ａ、図２Ｂ、及び図５を用いて説明する。図２Ａは、ごみ投入口２０ａ周辺を逆Ｘ方向から見た図を示している。図２Ｂは、ごみ投入口２０ａ周辺を逆Ｚ方向から見た図を示している。図５は、洗浄装置１１０のブロック図を示している。
【００２６】
図２Ａ及び図２Ｂに示すように、ごみ焼却施設１００は、ごみ投入口２０ａを挟んで互いに対向する壁２５及び壁２６と、壁２５及び壁２６の間に配置され、ごみ投入口２０ａを開閉する観音開き式の扉２１及び２２を備えている。壁２５の壁面２５ａと壁２６の壁面２６ａとは、互いに対向している。壁面２５ａはＸ方向を向いており、壁面２６ａは逆Ｘ方向を向いている。扉２１及び２２は、Ｚ方向に平行な開閉軸Ｓ１及びＳ２まわりにそれぞれ回動することで開閉する。扉２１及び２２は、開いたときにごみ投入口２０ａを挟んで互いに対向し、閉じたときにプラットホーム１０側を向く外側面２１ａ及び外側面２２ａをそれぞれ備えている。外側面２１ａは、扉２１が開いたときはＸ方向を向き、扉２１が閉じたときには逆Ｙ方向を向く。外側面２２ａは、扉２２が開いたときは逆Ｘ方向を向き、扉が閉じたときは逆Ｙ方向を向く。外側面２１ａには、ノズル５１を支持する支持体５２と、発光器６１とが設けられている。外側面２２ａには、ノズル５１を支持する支持体５２と、受光器６２とが設けられている。プラットホーム１０上には、車止め１１が設けられている。
【００２７】
ノズル５１、発光器６１、受光器６２は、外側面２１ａ又は外側面２２ａに設けられているから、ごみ収集車９０が投入するごみがノズル５１等にぶつかることが防がれている。
【００２８】
また、図２Ａ及び図２Ｂに示す構成においてノズル５１、発光器６１、受光器６２を壁面２５ａ又は壁面２６ａに配置すると、扉２１及び２２を開いたときにノズル５１等が扉２１及び２２に隠れてしまう。ノズル５１等を外側面２１ａ又は外側面２２ａに設けることは重要である。
【００２９】
図５に示すように、洗浄装置１１０は、ノズル５１と、支持体５２と、洗浄水供給部５３と、洗浄水供給管５４と、弁５７とを備えている。洗浄水供給部５３は、洗浄水供給部５３とノズル５１を接続する洗浄水供給管５４を介して加圧された洗浄水をノズル５１に供給する。電磁開閉弁に例示される弁５７は、洗浄水供給管５４に設けられており、ノズル５１が洗浄水を噴出することを開始及び停止させる。さらに、洗浄装置１１０は、テールゲート検出器６０と、制御部７１とを備えている。テールゲート検出器６０は、発光器６１と、受光器６２と、判定部６３とを備えている。
【００３０】
ごみ収集車９０がごみピット２０にごみを投入するためにテールゲート９１を上昇させると、発光器６１が受光器６２に対して出力する光線８０がテールゲート９１によって遮られる。判定部６３は、光線８０が遮られたことに基づいてテールゲート９１の上昇を検出し、このことを示す信号８１を制御部７１に対して出力する。制御部７１は、信号８１を受信してから第１の所定の時間経過後に信号８３を弁５７に対して出力する。弁５７は信号８３に応答して開き、ノズル５１は洗浄水の噴出を開始する。ここで、第１の所定時間は、テールゲート９１を上昇させてからごみの投入が終了するまでに要する時間である。ここで、発光器６１及び受光器６２が車止め１１に対してごみピット２０側に配置されることは、テールゲート９１の上昇を検出するために重要である。
【００３１】
扉２１及び２２が開いた状態においては、ノズル５１は車止め１１に対してごみピット２０側に配置される。このようなノズル５１の配置は、テールゲート９１の内部や荷箱９２の開口部を洗浄するために好適である。また、テールゲート９１を上昇させるとテールゲート９１の内部は下を向くから、ノズル５１が上向きの速度成分を有する洗浄水を噴出すれば、テールゲート９１の内部が効果的に洗浄される。
【００３２】
制御部７１は、信号８３を出力してから所定の洗浄時間の経過後、信号８４を弁５７に対して出力する。弁５７は信号８４に応答して閉じ、ノズル５１は洗浄水の噴出を停止する。
【００３３】
洗浄装置１１０は、弁５７の手動操作を可能とするため、テールゲート検出器６０の代わり又はテールゲート検出器６０に併せて操作部７２を備えても良い。操作部７２は、プラットホーム１０上のごみ収集車９０の運転席から操作しやすい位置に設けられている。操作部７２としてはマニュアルスイッチが例示される。作業者が操作部７２を操作すると、操作部７２は、信号８２を制御部７１に対して出力する。制御部７１は、信号８２に応答して信号８３を弁５７に対して出力し、信号８３を出力してから所定の洗浄時間の経過後に信号８４を弁５７に対して出力する。
【００３４】
洗浄装置１１０は、ノズル５１が噴出する洗浄水に空気を混入させるため、エアー供給部５５と、エアー供給管５６と、弁５８とを備えても良い。エアー供給管５６は、エアー供給部５５と、ノズル５１と弁５７の間の洗浄水供給管５４とを接続している。弁５８は、エアー供給管５６に設けられており、洗浄水に混入される空気の量を調節する。空気を混入させることで一回の洗浄に使用される洗浄水が減少するので、ごみ９９の水分の増加が抑制される。したがって、ごみ９９が燃えにくくなることが防がれる。
【００３５】
また、洗浄水供給部５３が脱臭剤入りの洗浄水をノズル５１に供給することとすれば、ごみ収集車９０の悪臭が緩和される。
【００３６】
（第２の実施形態）
本発明の第２の実施形態について図３Ａ、図３Ｂ、及び図５を用いて説明する。図３Ａは、ごみ投入口２０ａ周辺を逆Ｘ方向から見た図を示している。図３Ｂは、ごみ投入口２０ａ周辺を逆Ｚ方向から見た図を示している。図５は、洗浄装置１１０のブロック図を示している。
【００３７】
図３Ａ及び図３Ｂに示すように、ごみ焼却施設１００は、ごみ投入口２０ａを挟んで互いに対向する壁２５及び壁２６と、壁２５及び壁２６の間に配置され、ごみ投入口２０ａを開閉する扉２３を備えている。壁２５の壁面２５ａと壁２６の壁面２６ａとは、互いに対向している。壁面２５ａはＸ方向を向いており、壁面２６ａは逆Ｘ方向を向いている。扉２３は、プラットホーム１０の上方に配置されたＸ方向に平行な開閉軸Ｓ３まわりに回動することで開閉する。このようなごみ焼却施設１００においては、ノズル５１を支持する支持体５２と、発光器６１とを壁面２５ａに設け、ノズル５１を支持する支持体５２と、受光器６２とを壁面２６ａに設けることが可能である。プラットホーム１０上には、車止め１１が設けられている。発光器６１及び受光器６２は車止め１１に対してごみピット２０側に配置されている。ノズル５１も車止め１１に対してごみピット２０側に配置されている。
【００３８】
ノズル５１、発光器６１、受光器６２は、壁面２５ａ又は壁面２６ａに設けられているから、ごみ収集車９０が投入するごみがノズル５１等にぶつかることが防がれている。
【００３９】
また、ノズル５１が上向きの速度成分を有する洗浄水を噴出することとしても良い。
【００４０】
図５に示すように、洗浄装置１１０は、ノズル５１と、支持体５２と、洗浄水供給部５３と、洗浄水供給管５４と、弁５７と、テールゲート検出器６０と、制御部７１とを備えている。また、洗浄装置１１０は、テールゲート検出器６０の代わり又はテールゲート検出器６０と併せて操作部７２を備えても良い。洗浄装置１１０は、エアー供給部５５、エアー供給管５６、及び弁５８を備えても良い。これらの接続関係及び動作は第１の実施形態と同様である。
【００４１】
（第３の実施形態）
本発明の第３の実施形態について図４Ａ、図４Ｂ、及び図５を用いて説明する。図４Ａは、ごみ投入口２０ａ周辺を逆Ｘ方向から見た図を示している。図４Ｂは、ごみ投入口２０ａ周辺を逆Ｚ方向から見た図を示している。図５は、洗浄装置１１０のブロック図を示している。
【００４２】
図４Ａ及び図４Ｂに示すように、ごみ焼却施設１００は、ごみ投入口２０ａを挟んで互いに対向する壁２５及び壁２６と、壁２５及び壁２６の間に配置され、ごみ投入口２０ａを開閉する扉２３を備えている。壁２５の壁面２５ａと壁２６の壁面２６ａとは、互いに対向している。壁面２５ａはＸ方向を向いており、壁面２６ａは逆Ｘ方向を向いている。扉２３は、プラットホーム１０の上方に配置されたＸ方向に平行な開閉軸Ｓ３まわりに回動することで開閉する。プラットホーム１０上には、車止め１１が設けられている。ごみ投入口２０ａの下に位置する斜面２０ｂには、Ｙ方向に延びる穴２０ｃが開口している。穴２０ｃの開口部の上部にはカバー２０ｄが設けられており、穴２０ｃにごみが入ることが防がれている。ノズル５１を支持する支持体５２は、穴２０ｃに出入りする。ごみ収集車９０がごみ投入口２０ａから投入したごみは、斜面２０ｂ上をごみピット２０の底に向かって落下するから、ごみ収集車９０を洗浄しないときにノズル５１及び支持体５２が穴２０ｃに収納されることは重要である。ごみ収集車９０を洗浄するときは、支持体５２はノズル５１を車止め１１に対してごみピット２０側で支持する。発光器６１は壁面２５ａに設けられており、受光器６２は壁面２６ａに設けられている。発光器６１及び受光器６２は車止め１１に対してごみピット２０側に配置されている。
【００４３】
図５に示すように、洗浄装置１１０は、ノズル５１と、支持体５２と、洗浄水供給部５３と、洗浄水供給管５４と、弁５７とを備えている。洗浄水供給部５３は、洗浄水供給部５３とノズル５１を接続する洗浄水供給管５４を介して加圧された洗浄水をノズル５１に供給する。弁５７は、洗浄水供給管５４に設けられており、ノズル５１が洗浄水を噴出することを開始及び停止させる。さらに、洗浄装置１１０は、テールゲート検出器６０と、制御部７１と、支持体駆動部７３とを備えている。テールゲート検出器６０は、発光器６１と、受光器６２と、判定部６３とを備えている。
【００４４】
ごみ収集車９０がごみピット２０にごみを投入するためにテールゲート９１を上昇させると、発光器６１が受光器６２に対して出力する光線８０がテールゲート９１によって遮られる。判定部６３は、光線８０が遮られたことに基づいてテールゲート９１の上昇を検出し、このことを示す信号８１を制御部７１に対して出力する。制御部７１は、信号８１を受信してから第１の所定の時間経過後に信号８５を支持体駆動部７３に対して出力する。支持体駆動部７３は、穴２０ｃに収納された支持体５２をごみピット２０の方向（Ｙ方向）へ所定の距離だけ移動させて停止させる。このとき支持体駆動部７３は、支持体５２が所定の距離だけ移動して停止したことを示す信号８７を制御部７１に対して出力する。制御部７１は信号８７に応答して信号８３’を弁５７に対して出力する。弁５７は信号８３’に応答して開き、ノズル５１は洗浄水の噴出を開始する。ここで、第１の所定時間は、テールゲート９１を上昇させてからごみの投入が終了するまでに要する時間である。
【００４５】
制御部７１は、信号８３’を出力してから所定の洗浄時間の経過後、信号８４’を弁５７に対して出力し、信号８６を支持体駆動部７３に対して出力する。弁５７は、信号８４’に応答して閉じ、ノズル５１は洗浄水の噴出を停止する。支持体駆動部７３は、信号８６に応答し、支持体５２を逆Ｙ方向に移動して穴２０ｃに収納する。
【００４６】
洗浄装置１１０は、弁５７及び支持体駆動部７３の手動操作を可能とするため、テールゲート検出器６０の代わり又はテールゲート検出器６０に併せて操作部７２を備えても良い。操作部７２は、プラットホーム１０上のごみ収集車９０の運転席から操作しやすい位置に設けられている。操作部７２としてはマニュアルスイッチが例示される。作業者が操作部７２を操作すると、操作部７２は、信号８２を制御部７１に対して出力する。制御部７１は信号８２に応答して信号８５を弁５７に対して出力するから、洗浄装置１１０は、制御部７１が信号８１を受信したときと同様に動作する。
【００４７】
洗浄装置１１０は、ノズル５１が噴出する洗浄水に空気を混入させるため、エアー供給部５５と、エアー供給管５６と、弁５８とを備えても良い。これらの接続関係及び動作は第１の実施形態と同様である。
【図面の簡単な説明】
【００４８】
【図１】図１は、ごみ焼却施設を示す図である。
【図２Ａ】図２Ａは、本発明の第１の実施形態において、ごみピットのごみ投入口周辺を示す側面図である。
【図２Ｂ】図２Ｂは、本発明の第１の実施形態において、ごみピットのごみ投入口周辺を示す平面図である。
【図３Ａ】図３Ａは、本発明の第２の実施形態において、ごみピットのごみ投入口周辺を示す側面図である。
【図３Ｂ】図３Ｂは、本発明の第２の実施形態において、ごみピットのごみ投入口周辺を示す平面図である。
【図４Ａ】図４Ａは、本発明の第３の実施形態において、ごみピットのごみ投入口周辺を示す側面図である。
【図４Ｂ】図４Ｂは、本発明の第３の実施形態において、ごみピットのごみ投入口周辺を示す平面図である。
【図５】図５は、洗浄装置のブロック図である。
【符号の説明】
【００４９】
１０…プラットホーム
１１…車止め
２０…ごみピット
２０ａ…ごみ投入口
２０ｂ…斜面
２０ｃ…穴
２０ｄ…カバー
２１、２２、２３…扉
２１ａ、２２ａ…外側面
２５、２６…壁
２５ａ、２６ａ…壁面
３０…クレーン
４０…焼却炉
４１…ホッパ
４２…フィーダ
４３…燃焼室
４４…ストーカ
５１…ノズル
５２…支持体
５３…洗浄水供給部
５４…洗浄水供給管
５５…エアー供給部
５６…エアー供給管
５７、５８…弁
６０…テールゲート検出器
６１…発光器
６２…受光器
６３…判定部
７１…制御部
７２…操作部
７３…支持体駆動部
８０…光線
８１〜８７、８３’、８４’…信号
９０…ごみ収集車
９１…テールゲート
９２…荷箱（ボディ）
９９…ごみ
１００…ごみ焼却施設
１１０…洗浄装置
Ｓ１〜Ｓ３…開閉軸
【図１】
2007302361.tif 000003
【図２Ａ】
2007302361.tif 000004
【図２Ｂ】
2007302361.tif 000005
【図３Ａ】
2007302361.tif 000006
【図３Ｂ】
2007302361.tif 000007
【図４Ａ】
2007302361.tif 000008
【図４Ｂ】
2007302361.tif 000009
【図５】
2007302361.tif 000010